【手続補正書】
【提出日】平成15年11月6日(2003.11.6)
【手続補正１】
【補正対象書類名】明細書
【補正対象項目名】請求項１
【補正方法】変更
【補正の内容】
【請求項１】
携帯型情報処理装置において時計表示を行わせる時計表示アプリケーションプログラムを生成するための情報処理装置における情報処理方法において、
前記時計表示アプリケーションプログラムを構成可能な複数のモジュールプログラムのうち、ユーザが前記時計表示アプリケーションプログラムを構成すべく選択した複数のモジュールプログラム全体の容量を前記時計表示アプリケーションプログラムの容量としてあらかじめ設定された各モジュールプログラム毎に実行時に必要とされる容量に基づいて算出する容量算出過程と、
前記算出した時計表示アプリケーションプログラムの容量が前記携帯型情報処理装置で当該時計表示アプリケーションプログラムを実行可能な容量であるか否かを判別する判別過程と、
前記判別の結果を告知する告知過程と、
を備えたことを特徴とする情報処理方法。
【手続補正２】
【補正対象書類名】明細書
【補正対象項目名】請求項５
【補正方法】変更
【補正の内容】
【請求項５】
携帯型情報処理装置において時計表示を行う時計表示アプリケーションプログラムを構成可能な複数のモジュールプログラムを記憶するモジュール記憶部と、
前記モジュールプログラムのうち、ユーザが前記時計表示アプリケーションプログラムを構成すべく選択するための選択部と、
前記選択された複数のモジュールプログラム全体の容量を前記時計表示アプリケーションプログラムの容量としてあらかじめ設定された各モジュールプログラム毎に実行時に必要とされる容量に基づいて算出する容量算出部と、
前記算出した時計表示アプリケーションプログラムの容量が前記携帯型情報処理装置で当該時計表示アプリケーションプログラムを実行可能な容量であるか否かを判別する判別部と、
前記判別の結果を告知する告知部と、
前記選択されたモジュールプログラムに基づいて前記時計表示アプリケーションプログラムを生成するプログラム生成部と、
を備えたことを特徴とする情報処理装置。
【手続補正３】
【補正対象書類名】明細書
【補正対象項目名】請求項８
【補正方法】変更
【補正の内容】
【請求項８】
携帯型情報処理装置において時計表示を行わせるための時計表示アプリケーションプログラムを生成させる情報処理プログラムを記録した情報処理装置の記録媒体において、
前記時計表示アプリケーションプログラムを構成可能な複数のモジュールプログラムのうち、ユーザが前記時計表示アプリケーションプログラムを構成すべく選択した複数のモジュールプログラム全体の容量を前記時計表示アプリケーションプログラムの容量としてあらかじめ設定された各モジュールプログラム毎に実行時に必要とされる容量に基づいて算出させ、
前記算出させた時計表示アプリケーションプログラムの容量が前記携帯型情報処理装置で当該時計表示アプリケーションプログラムを実行可能な容量であるか否かを判別させ、
前記判別の結果を告知させる、
ことを特徴とする情報処理プログラムを記録した記録媒体。
【手続補正４】
【補正対象書類名】明細書
【補正対象項目名】０００６
【補正方法】変更
【補正の内容】
【０００６】
【課題を解決するための手段】
上記課題を解決するため、請求項１記載の構成は、携帯型情報処理装置において時計表示を行わせる時計表示アプリケーションプログラムを生成するための情報処理装置における情報処理方法において、前記時計表示アプリケーションプログラムを構成可能な複数のモジュールプログラムのうち、ユーザが前記時計表示アプリケーションプログラムを構成すべく選択した複数のモジュールプログラム全体の容量を前記時計表示アプリケーションプログラムの容量としてあらかじめ設定された各モジュールプログラム毎に実行時に必要とされる容量に基づいて算出する容量算出過程と、前記算出した時計表示アプリケーションプログラムの容量が前記携帯型情報処理装置で当該時計表示アプリケーションプログラムを実行可能な容量であるか否かを判別する判別過程と、前記判別の結果を告知する告知過程と、を備えたことを特徴としている。


【手続補正５】
【補正対象書類名】明細書
【補正対象項目名】０００９
【補正方法】変更
【補正の内容】
【０００９】
請求項５記載の構成は、携帯型情報処理装置において時計表示を行う時計表示アプリケーションプログラムを構成可能な複数のモジュールプログラムを記憶するモジュール記憶部と、前記モジュールプログラムのうち、ユーザが前記時計表示アプリケーションプログラムを構成すべく選択するための選択部と、前記選択された複数のモジュールプログラム全体の容量を前記時計表示アプリケーションプログラムの容量としてあらかじめ設定された各モジュールプログラム毎に実行時に必要とされる容量に基づいて算出する容量算出部と、前記算出した時計表示アプリケーションプログラムの容量が前記携帯型情報処理装置で当該時計表示アプリケーションプログラムを実行可能な容量であるか否かを判別する判別部と、前記判別の結果を告知する告知部と、前記選択されたモジュールプログラムに基づいて前記時計表示アプリケーションプログラムを生成するプログラム生成部と、を備えたことを特徴としている。


【手続補正６】
【補正対象書類名】明細書
【補正対象項目名】００１１
【補正方法】変更
【補正の内容】
【００１１】
請求項８記載の構成は、携帯型情報処理装置において時計表示を行わせるための時計表示アプリケーションプログラムを生成させる情報処理プログラムを記録した情報処理装置の記録媒体において、前記時計表示アプリケーションプログラムを構成可能な複数のモジュールプログラムのうち、ユーザが前記時計表示アプリケーションプログラムを構成すべく選択した複数のモジュールプログラム全体の容量を前記時計表示アプリケーションプログラムの容量としてあらかじめ設定された各モジュールプログラム毎に実行時に必要とされる容量に基づいて算出させ、前記算出させた時計表示アプリケーションプログラムの容量が前記携帯型情報処理装置で当該時計表示アプリケーションプログラムを実行可能な容量であるか否かを判別させ、前記判別の結果を告知させる、ことを特徴としている。


【手続補正７】
【補正対象書類名】明細書
【補正対象項目名】００２６
【補正方法】変更
【補正の内容】
【００２６】
［１．３．２］腕時計型情報処理装置
次に、腕時計型情報処理装置２００の電気的構成について説明する。図６は、その構成を示すブロック図である。
図６に示すように腕時計型情報処理装置２００は、大別すると、腕時計型情報処理装置２００全体を制御するマイクロプロセッサユニット２３０と、時計表示アプリケーションプログラムを含む各種アプリケーションプログラムおよび各種データを記憶するＳＲＡＭ２５０と、漢字フォントや各種調整値（補正データなど）を記憶するフラッシュＲＯＭ２６０と、液晶ディスプレイ（ＬＣＤ）２７１を駆動するためのＬＣＤドライバ２７０と、を備えて構成されている。


【手続補正８】
【補正対象書類名】明細書
【補正対象項目名】００３５
【補正方法】変更
【補正の内容】
【００３５】
［３．１．５］終了コマンド
終了コマンドは作成プログラムを終了させるためのコマンドである。
終了時には下記の六つの状態を記憶しておき、次回起動時に復元するように構成されている。
（１）主ウィンドウ４００のサイズおよび表示位置
（２）共通部品ウィンドウ４０１のサイズおよび主ウィンドウ４００に対する相対位置
（３）部品レイアウトウィンドウ４０２のサイズおよび主ウィンドウ４００に対する相対位置
（４）部品リストウィンドウ４０３のサイズおよび主ウィンドウ４００に対する相対位置
（５）部品編集ウィンドウ４０５のサイズおよび主ウィンドウ４００に対する相対位置
（６）部品形式ウィンドウの主ウィンドウ４００に対する相対位置
現行のプロジェクトが更新中の時は、保存確認メッセージを表示する。


【手続補正９】
【補正対象書類名】明細書
【補正対象項目名】００５１
【補正方法】変更
【補正の内容】
【００５１】
［４．８．３］編集用ツールパレット
部品の編集ウィンドウ４０４下部には、図１９に示すような編集用ツールパレット４０４Ｃが配置されている。
編集用ツールパレット４０４Ｃには、図１９に示すように、以下に説明する直線ツール４５１、ペンツール４５２、消しゴムツール４５３、塗りつぶしツール４５４、四角ツール４５５、塗りつぶし四角ツール４５６、丸ツール４５７、塗りつぶし丸ツール４５８、範囲選択ツール４５９および背面黒／背面白ツール４６０が含まれる。


【手続補正１０】
【補正対象書類名】明細書
【補正対象項目名】００５５
【補正方法】変更
【補正の内容】
【００５５】
［４．８．３．８］塗りつぶし丸ツール
塗りつぶし丸ツール４５８を選択した場合には、編集ウィンドウ４０４Ｄ内でマウスでクリックしたポイント、リリースした、リリースしたポイントを対角線とする長方形に内接する塗りつぶし丸あるいは塗りつぶし楕円を描くこととなる。
この場合において、左ドラッグした場合には、黒い塗りつぶし丸あるいは黒い、塗りつぶし楕円を描き、右ドラッグした場合には、白い塗りつぶし丸あるいは白い塗りつぶし楕円を描くこととなる。
［４．８．３．９］範囲選択ツール
範囲選択ツール４５９を選択した場合には、編集ウィンドウ４０４Ｄ内でマウスでクリックしたポイントから、リリースしたポイントまでを対角線とする四角領域を選択することとなる。
この場合において、領域選択状態の部分には次の操作が有効となる。
（１）マウスドラッグによる当該選択領域の移動
（２）当該選択領域の削除
（３）当該選択領域のコピー
（４）当該選択領域の切り取り
なお、部品の編集ウィンドウ上部において、編集対象画像（コマ）を切り替えた際は領域選択状態が無効となる。


【手続補正１１】
【補正対象書類名】図面
【補正対象項目名】図６
【補正方法】変更
【補正の内容】
【図６】
2002108634.tif 000001